(57)【要約】【課題】主リモコンの床暖房運転スイッチの系統番号の若い順に温水弁を制御することを目的とする。【解決手段】同じ接続素子を床暖房リモコン６ａ、６ｂの接続端子１ａ、１ｂに接続し、主リモコン７の床暖房運転スイッチ７ａ、７ｂの系統番号の若い順に温水弁３ａ、３ｂを特定し、煩雑な接続素子施工作業なく、主リモコン７に複数系統の床暖房リモコン機能を持たせる。【選択図】図１
2005265364.tif 000002
【特許請求の範囲】
【請求項１】
温水暖房の運転制御を行うシリアル通信型の複数の暖房リモコンと、熱源機の一般運転制御を行う主リモコンと、前記暖房リモコンの接続端子と前記主リモコンの接続端子を個別に備え、接続可能な温水暖房系統数と同数の前記暖房リモコン用接続端子と温水弁接続端子を持ち、前記暖房リモコンからの運転指示のあった系統に該当する温水弁を開閉制御し、前記主リモコンの機能として含まれる暖房リモコン機能を作動させる場合は、施工時に前記暖房リモコン用接続端子の特定系統の接続端子に抵抗分割比率の等しい接続素子を複数個、施工時に接続することで、前記主リモコンに含まれる暖房リモコン機能からの運転指示が有った場合は、その系統番号の若い順に、接続素子が接続された暖房リモコン接続端子の系統に該当する温水弁を開閉制御することで、主リモコンに複数の暖房リモコン機能を持つことを特徴とする温水暖房制御装置。
【請求項２】
暖房リモコン用接続端子に正電源との抵抗接続のみの接続素子を施工時に接続することで、前記主リモコンには複数の暖房リモコン機能を持たせる請求項１記載の温水暖房制御装置。
【請求項３】
暖房リモコン用接続端子に正電源との短絡回路のみの接続素子を施工時に接続することで、前記主リモコンには複数の暖房リモコン機能を持たせる請求項１記載の温水暖房制御装置。
【発明の詳細な説明】
【技術分野】
【０００１】
本発明は、温水暖房、特に床暖房リモコンと温水弁の制御に関するものである。
【背景技術】
【０００２】
従来、この種の温水暖房の制御装置は、床暖房リモコン接続端子と温水弁接続端子が一対一対応しているものが普通であり、熱源機の運転状態を表示する主リモコンには床暖房リモコン機能は持たなかった（例えば、特許文献１参照）。
【０００３】
図８は、前記特許文献１に記載された従来の温水床暖房システムを示すものであり、熱源機１から４つの床暖房パネル２ａ，２ｂ，２ｃ，２ｄに温水弁３ａ，３ｂ，３ｃ，３ｄを介して温水往パイプ４ａ，４ｂ，４ｃ，４ｄが接続されており、温水戻パイプ５は統合されて熱源機１へ接続されている。
【０００４】
一方、床暖房リモコン６ａ，６ｂ，６ｃ，６ｄは、床暖房パネル２ａのある部屋に床暖房リモコン６ａが、床暖房パネル２ｂのある部屋に床暖房リモコン６ｂが、床暖房パネル２ｃのある部屋に床暖房リモコン６ｃが、床暖房パネル２ｄのある部屋に床暖房リモコン６ｄがそれぞれとりつけられ、熱源機１は、たとえば床暖房リモコン６ａからの要求に応じて温水弁３ａを開き、床暖房パネル２ａを加熱する。すなわち、熱源機１内には、たとえば、４系統の床暖房を接続できる熱源機である場合、一つの床暖房リモコン接続端子に対し、それに連動して動作する温水弁接続端子が必ず一つあり、これらの組み合わせが４組あるということである。この４組という組数は、熱源機の能力に応じて何組であっても構わない。
【０００５】
また、熱源機の運転状態を表示する主リモコンに床暖房リモコン機能を持たせたものもあるが、制御する床暖房パネルが単一のものであるか、もしくは複数個制御する場合は、抵抗分割比の異なる個別の接続素子を床暖房リモコン用接続端子に接続するという方式をとっていた（例えば、特許文献２参照）。
【０００６】
図５は前記特許文献２に記載された従来の温水床暖房システムを示すものであり、図６は前記特許文献２に記載された従来の温水暖房の制御装置の電気回路図、図７は前記特許文献２に記載された従来の温水暖房の制御の入力信号波形を示したタイムチャートである。
【０００７】
図５において、７は主リモコンであり、ふろ運転スイッチ７ａと床暖房運転スイッチを７ｂと７ｃと二つ持ち、熱源機１へは床暖房リモコン接続端子１ａ〜１ｄとは異なる接続端子１ｘに接続されている。接続端子１ａ，１ｂには床暖房リモコン６ａ，６ｂが接続されておらず、接続端子１ｃには接続素子８ａが、接続端子１ｄには接続素子８ｂが接続されている。接続端子１ｃに接続されている接続素子８ａと、接続端子１ｄに接続されている接続素子８ｂとは形状、構造は同じだが、電気回路的に異なる。
【０００８】
図６において、図５で説明したように、接続端子１ａ，１ｂには床暖房リモコン６ａ，６ｂが接続されておらず、接続端子１ｃには接続素子８ａが、接続端子１ｄには接続素子８ｂが接続されおり、接続素子８ａと接続素子８ｂとは、接続端子のプラス端子とマイナス端子との間を抵抗分割して、信号端子に接続される回路構成となっているが、互いにこの抵抗分割比が異なる。
【０００９】
接続端子１ａ〜１ｄはプラス電源端子とマイナス電源端子、および信号端子で１セットとなっており、この内、各信号端子はそれぞれ回線接続トランジスタ１０ａ〜１０ｄのコレクタ側につながっている。出力信号９ａ〜９ｂはマイクロコンピュータにつながり、各系統ごとの回線接続トランジスタ１０ａ〜１０ｄを順次ＯＮさせる信号が与えられる。回線接続トランジスタ１０ａ〜１０ｄのエミッタ側をすべてまとめてトランジスタ１１で受け、入力信号１２となってマイクロコンピュータにて読み取られる。この時、回線接続トランジスタ１０ｃと回線接続トランジスタ１０ｄがＯＮしたときのトランジスタ１１のベースにかかる電圧値が、電源電圧より低いレベルで異なり、トランジスタ１１が能動域で動作することになる。
【００１０】
図７に示すように、出力信号９ａがＨｉになっている間、回線接続トランジスタ１０ａがＯＮとなり、床暖房リモコン６ａからのシリアル信号が入力信号１２で読み取ることができる。同様に、出力信号９ｂがＨｉになるタイミングで回線接続トランジスタ１０ｂがＯＮとなり、床暖房リモコン６ｂからのシリアル信号が入力信号１２で読み取ることができる。信号９ｃがＨｉの間の信号１２の電圧レベルと、信号９ｄがＨｉの間の信号１２の電圧レベルとが異なり、この電圧レベルの差と接続素子８ｃと接続素子８ｄの抵抗分割比の差との関連を知っておけば、接続端子１ｃ，１ｄのどちらに接続素子８ａ，８ｂのどちらが接続されているかが判断できる。
【００１１】
接続素子８ａを床暖房運転スイッチ７ｂに、接続素子８ｂを床暖房運転スイッチ７ｃに割りつけて、マイクロコンピュータにプログラムしておけば、床暖房運転スイッチ７ｂがＯＮされたときは接続素子８ａの接続されている系統、つまり、温水弁３ｃを開き床暖房パネル２ｃを加熱し、床暖房運転スイッチ７ｃがＯＮされたときは接続素子８ｂの接続されている系統、つまり、温水弁３ｄを開き床暖房パネル２ｄを加熱することができる。
【特許文献１】特開２０００−１１１０６４号公報（第８頁、図４）
【特許文献２】特開２００３−１１８２６８号公報（第１６頁、図４、図５、図６）
【発明の開示】
【発明が解決しようとする課題】
【００１２】
しかしながら、熱源機の運転状態を表示する主リモコンに複数系統の床暖房リモコン機能を持たせたものを施工する際に、抵抗分割比の異なる個別の接続素子を床暖房リモコン用接続端子に接続する必要があり、どの接続素子がどの温水弁と連動するかの識別判断が煩雑であり、施工ミスを引き起こしやすいという課題を有していた。
【課題を解決するための手段】
【００１３】
本発明は、上記課題を解決するために、熱源機内の温水暖房制御装置上の床暖房リモコン用接続端子に、施工時にまったく同一で複数個の接続素子を接続させておいても、主リモコン上で認識する系統番号の若い順に、制御する温水弁を割り当てることで、煩雑な接続素子の識別作業の不要な主リモコンに複数系統の床暖房リモコン機能を持たせた温水暖房制御装置を提供するものである。
【発明の効果】
【００１４】
以上のように本発明の温水暖房制御装置は、同じ抵抗分割比の接続素子を接続しても、系統番号の若い順に、温水弁を割り付けるようプログラムされていれば、順次温水弁を開閉制御することで、複数系統の床暖房パネルの制御ができ、主リモコンに複数系統の床暖房リモコン機能を持たせることができ、かつ、施工時に煩雑な接続素子の識別作業が不要であるという有利な効果を有する。
【発明を実施するための最良の形態】
【００１５】
第１の発明は、温水暖房の運転制御を行うシリアル通信型の複数の暖房リモコンと、熱源機の一般運転制御を行う主リモコンと、前記暖房リモコンの接続端子と前記主リモコンの接続端子を個別に備え、接続可能な温水暖房系統数と同数の前記暖房リモコン用接続端子と温水弁接続端子を持ち、前記暖房リモコンからの運転指示のあった系統に該当する温水弁を開閉制御し、前記主リモコンの機能として含まれる暖房リモコン機能を作動させる場合は、施工時に前記暖房リモコン用接続端子の特定系統の接続端子に抵抗分割比率の等しい接続素子を複数個、施工時に接続することで、前記主リモコンに含まれる暖房リモコン機能からの運転指示が有った場合は、その系統番号の若い順に、接続素子が接続された暖房リモコン接続端子の系統に該当する温水弁を開閉制御することで、主リモコンに複数の暖房リモコン機能を持つことを特徴とするもので、同じ抵抗分割比の接続素子を接続しても、系統番号の若い順に、温水弁を割り付けるようプログラムされていれば、順次温水弁を開閉制御することで、複数系統の床暖房パネルの制御ができ、主リモコンに複数系統の床暖房リモコン機能を持たせることができ、かつ、施工時に煩雑な接続素子の識別作業が不要であるという有利な効果を有する。
【００１６】
第２の発明は、暖房リモコン用接続端子に正電源との抵抗接続のみの接続素子を施工時に接続することで、前記主リモコンには複数の暖房リモコン機能を持たせることを特徴とするもので、接続素子がプラス端子と信号端子の間に抵抗のみが接続された回路構成であることより、安価な接続素子を提供することができるという有利な効果を有する。
【００１７】
第３の発明は、暖房リモコン用接続端子に正電源との短絡回路のみの接続素子を施工時に接続することで、前記主リモコンには複数の暖房リモコン機能を持たせることを特徴とするもので、接続素子がプラス端子と信号端子の間が短絡接続された回路構成であることより、さらに安価な接続素子を提供することができるという有利な効果を有する。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における温水暖房の制御装置の構成図である。なお、従来例と同一部分は同一番号を付与して説明を省略する。
【００２０】
図１において、７は主リモコンであり、床暖房運転スイッチを７ｂと７ｃの２つ持ち、８は接続素子であるが、図８の従来例に比べ、床暖房リモコン６ｃ，６ｄが接続されておらず、また、図５の従来例に比べ、接続端子１ｃとに接続端子１ｄにまったく同じ接続素子８がともに接続されている。
【００２１】
図２は、本発明の第１の実施の形態における温水暖房の制御装置の電気回路図である。図１で説明したように、接続端子１ａ，１ｂには床暖房リモコン６ａ，６ｂが接続されているが、接続端子１ｃと接続端子１ｄにはともに接続素子８が接続されている。
【００２２】
接続素子８が接続端子１ｃにも接続端子１ｄにも接続されているため、出力信号９ｃがＯＮになっても、出力信号９ｄがＯＮになっても、入力信号１２では同じ電圧となって読み取られ、区別がつかないが、シリアル信号が入って来ないということと、もし、たとえば接続端子１ｄに何も接続されていないと、出力信号９ｄがＯＮになってもトランジスタ１１はＯＮせずに、この間、入力信号１２ではＬｏとなることから、接続素子８が接続されていることは認識できる。
【００２３】
このとき、系統番号の若い順に、温水弁を割り付けるようプログラムされていれば、順次温水弁を開閉制御することで、複数系統の床暖房パネルの制御ができる。
【００２４】
つまり、主リモコン７にある床暖房運転スイッチ７ｂがＯＮされると、接続素子８が接続されている系統の最も若い系統番号の温水弁、すなわち、温水弁３ｃを開き床暖房パネル２ｃを加熱し、床暖房運転スイッチ７ｃがＯＮされると、接続素子８が接続されている系統の次に若い系統番号の温水弁、すなわち、温水弁３ｄを開き床暖房パネル２ｄを加熱することで、同じ接続素子８が接続されていても、複数系統の温水弁、床暖房パネルを制御することができる。
【００２５】
なお、本実施の形態において、接続素子８は接続端子１ｃと１ｄに接続したが、接続端子１ａであっても、接続端子１ｂであっても良い。
【００２６】
また、接続素子８が接続されているのは、２系統としたが、熱源機１内の接続端子数の範囲であれば、いくつであっても構わない。
【００２７】
（実施の形態２）
図３は、本発明の第２の実施の形態における温水暖房の制御装置の電気回路図である。  
【００２８】
図３において、図２および図６と同じ構成要素については同じ符号を用い、説明を省略する。
【００２９】
図３に示すように、接続素子８は第１の実施の形態の場合と同様に接続端子１ｃと１ｄに接続されているが、接続素子８はまったく同じものであり、接続端子のプラス端子と信号端子の間に抵抗のみが接続された回路構成となっており、マイナス端子は開放である。この時、回線接続トランジスタ１０ｃと回線接続トランジスタ１０ｄがＯＮしたときのトランジスタ１１のベースにかかる電圧値が、電源電圧と同じ値となり、トランジスタ１１は飽和域で動作するため、信号９ｃがＨｉの間の信号１２の電圧レベルも、信号９ｄがＨｉの間の信号１２の電圧レベルもともにＨｉレベルとなる。接続素子８が接続端子１ｃにも接続端子１ｄにも接続されているため、出力信号９ｃがＯＮになっても、出力信号９ｄがＯＮになっても、入力信号１２では同じＨｉレベル電圧となって読み取られ、区別がつかないが、シリアル信号が入って来ないということと、もし、たとえば接続端子１ｄに何も接続されていないと、出力信号９ｄがＯＮになってもトランジスタ１１はＯＮせずに、この間、入力信号１２ではＬｏとなることから、接続素子８が接続されていることは認識できる。このとき、実施の形態１の場合と同様に系統番号の若い順に、温水弁を割り付けるようプログラムされていれば、順次温水弁を開閉制御することで、複数系統の床暖房パネルの制御ができる。
【００３０】
つまり、主リモコン７にある床暖房運転スイッチ７ｂがＯＮされると、接続素子８が接続されている系統の最も若い系統番号の温水弁、すなわち、温水弁３ｃを開き床暖房パネル２ｃを加熱し、床暖房運転スイッチ７ｃがＯＮされると、接続素子８が接続されている系統の次に若い系統番号の温水弁、すなわち、温水弁３ｄを開き床暖房パネル２ｄを加熱することで、同じ接続素子８が接続されていても、複数系統の温水弁、複数系統の床暖房パネルを制御することができる。
【００３１】
（実施の形態３）
図４は、本発明の第３の実施の形態における温水暖房の制御装置の電気回路図である。
【００３２】
図４において、図２、図３および図６と同じ構成要素については同じ符号を用い、説明を省略する。
【００３３】
図４に示すように、接続素子８は第１、第２の実施の形態の場合と同様に接続端子１ｃと１ｄに接続されているが、接続素子８はまったく同じものであり、接続端子のプラス端子と信号端子の間が短絡接続された回路構成となっており、マイナス端子は開放である。この時、回線接続トランジスタ１０ｃと回線接続トランジスタ１０ｄがＯＮしたときのトランジスタ１１のベースにかかる電圧値が、電源電圧と同じ値となり、トランジスタ１１は飽和域で動作するため、信号９ｃがＨｉの間の信号１２の電圧レベルも、信号９ｄがＨｉの間の信号１２の電圧レベルもともにＨｉレベルとなる。接続素子８が接続端子１ｃにも接続端子１ｄにも接続されているため、出力信号９ｃがＯＮになっても、出力信号９ｄがＯＮになっても、入力信号１２では同じＨｉレベル電圧となって読み取られ、区別がつかないが、シリアル信号が入って来ないということと、もし、たとえば接続端子１ｄに何も接続されていないと、出力信号９ｄがＯＮになってもトランジスタ１１はＯＮせずに、この間、入力信号１２ではＬｏとなることから、接続素子８が接続されていることは認識できる。このとき、実施の形態１および２の場合と同様に系統番号の若い順に、温水弁を割り付けるようプログラムされていれば、順次温水弁を開閉制御することで、複数系統の床暖房パネルの制御ができる。
【００３４】
つまり、主リモコン７にある床暖房運転スイッチ７ｂがＯＮされると、接続素子８が接続されている系統の最も若い系統番号の温水弁、すなわち、温水弁３ｃを開き床暖房パネル２ｃを加熱し、床暖房運転スイッチ７ｃがＯＮされると、接続素子８が接続されている系統の次に若い系統番号の温水弁、すなわち、温水弁３ｄを開き床暖房パネル２ｄを加熱することで、同じ接続素子８が接続されていても、複数系統の温水弁、床暖房パネルを制御することができる。
【産業上の利用可能性】
【００３５】
以上のように本発明の温水暖房制御装置は、同じ抵抗分割比の接続素子を接続しても、系統番号の若い順に、温水弁を割り付けるようプログラムされていれば、順次温水弁を開閉制御することで、複数系統の床暖房パネルの制御ができ、主リモコンに複数系統の床暖房リモコン機能を持たせることができ、かつ、施工時に煩雑な接続素子の識別作業が不要であるため、複数の開閉弁を制御する流路制御システムに適用できる。
【図面の簡単な説明】
【００３６】
【図１】本発明の実施の形態１における温水暖房の制御装置の構成図
【図２】同温水暖房の制御装置の電気回路図
【図３】本発明の実施の形態２における温水暖房の制御装置の電気回路図
【図４】本発明の実施の形態３における温水暖房の制御装置の電気回路図
【図５】従来の温水床暖房システムの構成図
【図６】従来の温水暖房の制御装置の電気回路図
【図７】従来の出力信号と入力信号のタイムチャート
【図８】従来の温水床暖房システムの構成図
【符号の説明】
【００３７】
１  熱源機
１ａ〜１ｄ  接続端子
３ａ〜３ｄ  温水弁
６ａ、６ｄ  床暖房リモコン
７  主リモコン
８接続素子
【図１】
2005265364.tif 000003
【図２】
2005265364.tif 000004
【図３】
2005265364.tif 000005
【図４】
2005265364.tif 000006
【図５】
2005265364.tif 000007
【図６】
2005265364.tif 000008
【図７】
2005265364.tif 000009
【図８】
2005265364.tif 000010